(57)【要約】【課題】  従来環境改善用のブロックとして美観のためのブロック、生物環境のブロックなどはありましたが、バイオを使用する環境でのブロックの使用は少なくバイオを投入する方法は機械的に行うしかなくコスト面や取扱いの面で非常に難しく一般的では無かった。【解決手段】  現在生産しているブロックに加工を加え充填式バイオブロックに加工する、既存設備に加工を加え施工する事で安価で供給する。また、リサイクル材料を使用し透水性材料を生産することで環境整備に相乗効果が期待できる。【選択図】  図２
2007021463.tif 000002
【特許請求の範囲】
【請求項１】
コンクリートブロック及び、石油製品ブロックの施工での自然環境改善にバイオを簡単に使用できる後施工方法で、透水性、保水性ブロック本体にポケットを設け、その中にバイオ菌及びコロニーに成りうる物質を充填後、透水性の材料を使って封印し水質改善に使用する充填式バイオブロック。
【請求項２】
充填式バイオブロックの製作方法として、透水性ブロック及び保水性ブロックの製作用の型枠にバイオ投入用ポケットの型を取り付け型抜きし、出荷直前にポケット内にバイオ菌及びコロニーの材料を不織布で包装し、投入後、透水性の材料で封印し出荷及び施工を行う方法。
【請求項３】
請求項２の充填式バイオブロックの簡易製作方法として、現在製作及び施工中のブロックなどにテストピース採取用のコアカッターを使用し、充填用のポケットを設け、その中に腐食布に入れたバイオ菌とゼオライトなどコロニーを形成しうる固体と共に、製品出荷又は、施工直前に内部に投入し透水性のある固形物でふさぎ、河川や海岸などに使用しバイオによる水質改善を行う簡易的な方法。
【請求項４】
請求項２の充填式バイオブロックの製作方法において、廃棄物として処分されているガラスカレット、陶器などのカレットを使用し透水性構造とし、ポケットを設けてバイオなど充填し自然環境改善を行いリサイクルと環境改善の両方を兼ね備えたリサイクル環境ブロックの製造方法。
【請求項５】
請求項２の充填式バイオブロックの製作方法において、現場打ちの多い大型ブロックにおいては部分的に透水性となりポケットを設けることにより、強度の問題も解消され現場での作業も簡単な充填式バイオ消波ブロック製作方法。
【発明の詳細な説明】
【技術分野】
【０００１】  本発明は、コンクリートブロック及び石油化学製品を利用したブロックを加工し充填式バイオブロックに加工することによりバイオを利用した環境ブロックの製作を安易にし製作出来、リサイクル製品を使用する事で環境整備に役立つ製品作り、透水性製品に加工した製品を併用し水質浄化などにも使用出来うる製品に関する技術。
【背景技術】
【０００２】  現状で環境改善を目的とした環境ブロックの施工方法は各種のものが提案されている。その場合に、リサイクルブロックなどの廃棄物を使用したブロックなどは大量に生産され施工が進んでいるが、あくまで美観の整備、廃棄物リサイクルの目的であり環境整備、水質改善などの目的の製品ではないのが現状である。しかし、現在まで環境の破壊を繰り返して水質の整備環境改善などに目もくれず開発の目的で時代は流れてきて今になり環境改善、自然の回復などに使用できる製品の提供が望まれていた。【０００３】  環境改善ブロックを使用した河川海洋施設の施工として特許文献１〜３に貝殻などを使用した環境改善工法として開示してあるがいずれも自然の物を材料に取り込んだブロックで速攻性を発揮するものではありません。しかしながら、これらの製品や施工方法には基本的な考え方は開示されているが、例えば、それは３年５年先に生物が住み着き自然環境が改善するもので、１ヶ月〜半年先確実に水質改善及び汚泥改良など効果が発揮できるものではない為、即効性があり確実に効果が見えるものがほしいのが現実である。
【特許文献１】特開２０００−２５７０４５号公報
【特許文献２】特開平９−１５８１５３号公報
【特許文献３】特開２００２−２５６５２９号公報
【発明の開示】
【発明が解決しようとする課題】
【０００４】  水質改善を行う場合は流入口の水質の改善が出来なければ湖沼の汚泥改善も進まず、水質の浄化などの工事も効果が出ないのが現状である。そのため、最近では機械的にバイオ菌などを自動投入する方法などが取入れられているが、イニシャルコスト及びランニングコストもかさみ自治体でも導入の見合わせしているのが現状である。【０００５】  本発明が前記述の状況に鑑み、解決しようとするところは、充填式バイオブロックを製作し歩道や下水道の流入口、湖沼の流入口、海岸線などに設置し自然の循環力を使用し水質改善を行う事によりランニングコストやイニシャルコストの削減と自然環境の改善の為に廃棄物を使用出来る製品を必要としている。
【課題を解決するための手段】
【０００６】  本発明は、前記述の課題解決のために、第一に、透水型ブロックにバイオを充填出来るポケットを製造時及び後加工で設け、そのポケットに不織布に包装したバイオ菌及びコロニーになりうる物質と共に投入し透水性のある材料を用い封印し充填式バイオブロックを製作する、このバイオの投入は出荷時もしくは施工前に行なう事によりバイオの新鮮さが保て確実な効果が期待できる。【０００７】  充填式バイオブロックの製作に陶器、ガラスなどのカレットを使用することにより廃棄物のリサイクルの推進に寄与することが出来、陶器類が入ることによりコロニーとしての効果が期待できる。【０００８】  充填式バイオブロックの本体に透水性のブロックを使用することにより、バイオが水の中に少しずつ流れ出て下流に流れ込む事で水質改善を行い、機械などの投資を行うことなく安価で環境改善できる。【０００９】  大型の充填式バイオブロックの製作は現地生産が多いため、部分的に透水性に加工しポケットを設ける構造とした。
【発明の効果】
【００１０】  請求項１の発明によれば、現在生産しているブロックを改良する事により、充填式バイオブロックに変更出来るため排水処理などの現場に施工する場合、一部分改良することにより、変更することが出来、家庭排水などにも利用促進を行えば、下水処理場の負荷軽減、配管などのメンテナンスの経費削減に繋がる発明である。【００１１】  充填式バイオブロックは出荷する時、もしくは施工前に充填を行うのでバイオが新鮮である事で定着しやすい。【００１２】  本発明はバイオを投入するポケットを設ける事で簡易的に施工でき、現在ある石などに施工出来る他、現地で大型ブロックなどや既設の構築物などに施工することが可能である。
【発明を実施するための最良の形態】
【００１３】  本発明が目的とする充填式バイオブロックの基本的な構造を説明すると、図１、２に示すように透水性のブロック▲１▼の中に、バイオ▲３▼とコロニーと成るゼオライト▲２▼を充填し、透水性材料▲４▼で封印し、この状態で出荷及び施工を行い水質改善、環境改善を行う。
【実施例】
【００１４】  以下、実施例に関して図面を使用しながら説明する。水質改善実験のため湖沼の入り口にバイオ菌を投入、重りに建築ブロックを使用し実証実験を行っていました、しかし数日後雨で流されてしまい実験はやり直しになり、仕方なく大型ブロックに不織布のなかにバイオ菌を投入した物を固定し、その後の実験を終了しましたが、この経験をもとにブロックの中にバイオを投入する実験を行いましたが、コンクリートブロックの場合透水性が無いため水が通過できず、アルカリ性が強いためコンクリートの中に混入させることは出来ず機械的に投入することしか出来ないこととあきらめていましたが、近年透水性コンクリートが注目されるようになり製造方法も安定してきたためこの製品を加工し、菌の投入できれば経費もかからずイニシャルコストも少なくてすむと思い、実証実験を行いました。図２は実験に使用した製品の断面図です。【００１５】  図３、４は、現地でコンクリート構築物に加工した時の平面図、断面図で、この場合は図４の▲１０▼に示すように貫通部を設け透水が外部に抜けるように加工して後、透水性の材料を使用してポケットを設け、テスト施工を行った。【００１６】  図５、６は、小型のブロックに後加工した物の平面図、断面図である。これは尿石除去実験に使用した時のものである。今では水槽実験に使う場合この方法を使用しているこの加工方法は出来上がった製品に穴化工してポケットを作りバイオを投入して充填式バイオブロックを簡易的に作る方法である。
【産業上の利用可能性】
【００１７】  今や、湖沼の汚染、堆積汚泥などや下水場の高負荷、河川や土壌の汚染など環境の問題が取り上げられている。バイオに依存せざるを得ない時期に来て、その手法の中のひとつとして、このブロックの製造方法や工法、大型ブロックなどの加工、現地で美観のために天然石などを応用した施工方法などや下水の環境改善や保水ブロックなどに後加工することで安価で水質改善に使用でき、この材料にリサイクル製品などの利用をすることで公共などの経費削減ができる可能性が有る。
【図面の簡単な説明】
【００１８】
【図１】充填式バイオブロックの平面図である。
【図２】図１のＡ−Ａ断面図で、ブロック内にバイオを充填した状態の図である。
【図３】既設の物に充填式バイオブロック加工を施した平面図である。
【図４】図３のＢ−Ｂ断面図で、既設の物に施工した状態の断面図である。
【図５】小型の透水性ブロックに後加工した平面図である。
【図６】図５のＣ−Ｃ断面図で、充填式に加工をした状態の断面図である。
【符号の説明】
【００１９】  １  充填式バイオブロック本体
２  ゼオライト
３  バイオ菌袋
４  透水性封印材
５  二次加工蓋
６  透水性加工材料
７  既設物
８  バイオ室
９  透水開口部
１０  透水性ブロック本体
１１  透水性蓋
【図１】
2007021463.tif 000003
【図２】
2007021463.tif 000004
【図３】
2007021463.tif 000005
【図４】
2007021463.tif 000006
【図５】
2007021463.tif 000007
【図６】
2007021463.tif 000008